(57)【要約】【課題】本発明は、排水口用ごみ捕集具にしみ込んだ排水中に雑菌が繁殖することによる悪臭やぬめり、カビの発生を緩和して衛生的に使用することができる排水口用ごみ捕集具を提供する。【解決手段】本発明の排水口用ごみ捕集具Ａは、銅箔１の上面に不織布２が積層一体化されていると共に上記銅箔１の下面に粘着剤層３が積層一体化されてなる捕集具主体Ａ１に、上下方向に貫通する多数の通水孔５が設けられているので、毛髪等のごみを特に良好に捕集することができると共に、不織布にしみ込んだ排水中に雑菌が繁殖するのを銅箔から溶けだした銅イオンによって緩和させて排水口用ごみ捕集具に悪臭やぬめりが生じたりカビが生えるのを緩和しており、排水口用ごみ捕集具を衛生的に継続使用することができる。【選択図】　　図２
2004092266.tif 000002
【特許請求の範囲】
【請求項１】
銅箔の上面に不織布が積層一体化されていると共に上記銅箔の下面に粘着剤層が積層一体化されてなる捕集具主体に、上下方向に貫通する多数の通水孔が設けられていることを特徴とする排水口用ごみ捕集具。
【請求項２】
銅箔と不織布とを部分的に一体化させていることを特徴とする請求項１に記載の排水口用ごみ捕集具。
【請求項３】
銅箔の下面に粘着剤層を部分的に積層一体化していることを特徴とする請求項１又は請求項２に記載の排水口用ごみ捕集具。
【請求項４】
通水孔の下端開口周縁部の少なくとも一部に銅箔を露出させていることを特徴とする請求項３に記載の排水口用ごみ捕集具。
【発明の詳細な説明】
【０００１】
【発明の属する技術分野】
本発明は、浴室や洗面所等の排水口の目皿上に貼着、固定されて、排水口に流れ込もうとする毛髪等のごみを捕集するための排水口用ごみ捕集具に関する。
【０００２】
【従来の技術】
浴室や洗面所等の排水口には、排水口への毛髪等のごみの流入を防ぐために、目皿が装着されており、近年、目皿の清掃の手間を軽減するために、紙や不織布等で形成されたシートにその両面間に亘って小径の通水孔を多数穿設してなる使い捨ての排水口用ごみ捕集具が提供されている（特許文献１）。
【０００３】
そして、この排水口用ごみ捕集具を目皿上に貼着、固定して、排水口に流れ込もうとする毛髪等のごみを排水口用ごみ捕集具により捕集し、排水口用ごみ捕集具にごみが溜まると目皿から排水口用ごみ捕集具を取り外して溜まったごみと共に廃棄している。
【０００４】
しかしながら、上記排水口用ごみ捕集具は、水がしみ込み易い素材で形成されていることから、この排水口用ごみ捕集具にしみ込んだ排水中に雑菌が繁殖しやすく、非常に不衛生であるといった問題点があった。
【０００５】
【特許文献１】
特開平６−２８０２９１号公報（請求項１）
【０００６】
【発明が解決しようとする課題】
本発明は、排水口用ごみ捕集具にしみ込んだ排水中に雑菌が繁殖することによる悪臭やぬめり、カビの発生を緩和して衛生的に使用することができる排水口用ごみ捕集具を提供する。
【０００７】
【課題を解決する手段】
本発明の排水口用ごみ捕集具は、請求項１に記載の通り、銅箔の上面に不織布が積層一体化されていると共に上記銅箔の下面に粘着剤層が積層一体化されてなる捕集具主体に、上下方向に貫通する多数の通水孔が設けられていることを特徴とする。
【０００８】
又、請求項２に記載した排水口用ごみ捕集具は、請求項１に記載の排水口用ごみ捕集具において、銅箔と不織布とを部分的に一体化させていることを特徴とする。
【０００９】
更に、請求項３に記載した排水口用ごみ捕集具は、請求項１又は請求項２に記載の排水口用ごみ捕集具において、銅箔の下面に粘着剤層を部分的に積層一体化していることを特徴とする。
【００１０】
そして、請求項４に記載の排水口用ごみ捕集具は、請求項３に記載の排水口用ごみ捕集具において、通水孔の下端開口周縁部の少なくとも一部に銅箔を露出させていることを特徴とする。
【００１１】
【作用】
本発明の排水口用ごみ捕集具の使用要領について説明する。先ず、本発明の排水口用ごみ捕集具をその粘着剤層の粘着力によって目皿上にこの目皿の上面を全面的に被覆した状態に貼着、固定する。
【００１２】
そして、毛髪等のごみを含んだ排水が排水口内に流れ込むと、排水口用ごみ捕集具の通水孔の内径よりも大きなごみは、排水口用ごみ捕集具の通水孔を通過することができずに排水口用ごみ捕集具に捕集されると共に、毛髪等のごみは、排水口用ごみ捕集具の不織布を形成する繊維に絡み付いて捕集される。
【００１３】
しかも、本発明の排水口用ごみ捕集具は、その一部に銅箔が用いられ、この銅箔から溶け出した銅イオンの作用によって、排水口用ごみ捕集具中にしみ込んだ排水中に雑菌が繁殖するのを緩和しており、排水口用ごみ捕集具に悪臭やぬめりが発生するのをできるだけ抑えて長期間に亘って衛生的に用いることができる。
【００１４】
【発明の実施の形態】
本発明の実施例の一例を図面を参照しつつ説明する。排水口用ごみ捕集具Ａの捕集具主体Ａ１は、図１及び図２に示したように、目皿Ｂの大きさに合致し或いは一回り大きな平面円形状の一定厚みを有する銅箔１の上面に、この銅箔１と同一大きさ、同一形状を有する平面円形状の一定厚みを有する不織布２が積層一体化されている一方、銅箔１の下面には粘着剤層３が積層一体化されてなる。なお、銅箔１及び不織布２の直径方向の外周縁の夫々には、平面半円形状の摘み片部Ａ２、Ａ２が突設されている。
【００１５】
上記銅箔１の厚みは、薄いと、排水口用ごみ捕集具Ａの強度が不足して破損しやすくなり、又、厚いと、排水口用ごみ捕集具Ａの柔軟性が低下して目皿Ｂの上面に沿って密着させにくくなるので、４〜１００μｍが好ましい。
【００１６】
又、上記銅箔１の上面に積層一体化させている不織布２としては、例えば、ポリエチレン系樹脂繊維やポリプロピレン系樹脂繊維等のポリオレフィン系樹脂繊維、綿繊維や麻繊維等の天然繊維等からなる不織布が挙げられ、不織布２の上面を起毛処理しておけば、毛髪等を不織布２の起毛部分に絡めることによって効果的に毛髪等を捕捉することができて好ましい。なお、上記不織布２に抗菌性を付与してもおいてもよい。
【００１７】
そして、上記不織布２は、その下面全面に合成樹脂フィルム層４が積層一体化されており、この合成樹脂フィルム層４を銅箔１の上面に部分的に熱融着４１一体化させることによって、上記銅箔１上に上記不織布２を積層一体化させている。
【００１８】
上記合成樹脂フィルム層４の銅箔１への熱融着パターンとしては、特に限定されず、例えば、前後左右方向に一定間隔毎に格子状に点状熱融着部４１ａ　を複数、形成する熱融着パターン（図３参照）、左右方向に一定間隔毎に、前後方向に延びる一定幅の帯状熱融着部４１ｂ　を複数、形成する熱融着パターン（図４参照）等が挙げられ、銅箔１と不織布２とを全面的に且つ均一に一体化させることができることから、上記格子状に点状熱融着部４１ａ　を複数、形成する熱融着パターンが好ましい。なお、上記合成樹脂フィルム層４を上記銅箔１の上面に全面的に熱融着一体化させてもよい。
【００１９】
更に、図５に示したように、上記銅箔１の下面には上記粘着剤層３が部分的に或いは全面的に積層一体化されているが、粘着剤層３を銅箔１の下面に部分的に積層一体化させることが好ましい。
【００２０】
上記粘着剤層３を銅箔１の下面に部分的に積層一体化させる積層形態としては、例えば、複数個の点状粘着剤層３ａを銅箔１の下面に前後左右方向に一定間隔毎に格子状に積層一体化させる積層パターン（図５参照）、前後方向に延びる一定幅の複数条の帯状粘着剤層３ｂを銅箔１の下面に左右方向に一定間隔毎に積層一体化させる積層パターン（図６参照）等が挙げられ、排水口用ごみ捕集具Ａを目皿Ｂ上に均一に貼着させることができることから、図５に示したような格子状に点状粘着剤層３ａを積層させる積層形態が好ましい。
【００２１】
そして、上記の如く構成された捕集具主体Ａ１の外周縁部を除いた部分に、捕集具主体Ａ１の両面間に亘って貫通する複数個の平面円形状（本実施例では直径７ｍｍ程度）の通水孔５、５・・・を全面的に略均一に貫設することによって排水口用ごみ捕集具Ａが形成されている。なお、各通水孔５の内周面には上記銅箔１が露出していると共に、上記粘着剤層３上には剥離可能な剥離紙６が全面的に積層されている。
【００２２】
次に、上記排水口用ごみ捕集具Ａの使用要領について説明する。先ず、排水口用ごみ捕集具Ａの粘着剤層３上の剥離紙６を剥離して粘着剤層３を全面的に露出させる。そして、排水口用ごみ捕集具Ａを上記粘着剤層３の粘着力によって目皿Ｂ上にこの目皿Ｂの上面が全面的に被覆された状態に貼着、固定する（図７参照）。
【００２３】
しかして、毛髪等のごみを含んだ排水が排水口内に流れ込むと、排水口用ごみ捕集具Ａの通水孔５の内径よりも大径のごみは、通水孔５を通過することができずに排水口用ごみ捕集具Ａに捕集されると共に、毛髪等の小さいごみは、排水口用ごみ捕集具Ａの不織布２の繊維に絡み付いて捕集され、排水中のごみを排水口用ごみ捕集具Ａによって確実に捕集することができる。
【００２４】
そして、排水口用ごみ捕集具Ａの通水孔５を通過した排水は、通水孔５の内周面に露出した銅箔１から溶け出した銅イオンと共に排水口内に排出され、そして、この排水中に含まれた銅イオンによって排水口内の雑菌の繁殖が緩和されて排水口内から悪臭等が発生するのが緩和される。
【００２５】
更に、図８に示したように、上記排水口用ごみ捕集具Ａの銅箔１の下面に粘着剤層３を部分的に積層一体化させ、通水孔５の下端開口縁部の少なくとも一部、好ましくは、通水孔５の下端開口縁部の全周に亘って銅箔１０を露出させている場合には、排水口に流れ込んだ排水の一部は、排水口用ごみ捕集具Ａと目皿Ｂとが貼着一体化していない、排水口用ごみ捕集具Ａの下面とこれに対向する目皿Ｂの上面との間に流れ込み、排水口用ごみ捕集具Ａの銅箔１に更に多く接触して、銅箔１から排水中に更に多くの銅イオンが溶け出し、この銅イオンによって、排水口内の雑菌の繁殖がより緩和されて排水口内から悪臭等が発生するのがより確実に緩和される。
【００２６】
又、排水口用ごみ捕集具Ａの不織布２には排水がしみ込んだ状態となるが、この排水中に銅箔１から溶け出した銅イオンが溶解し、この銅イオンの作用によって不織布２内に雑菌が繁殖するのが緩和され、排水口ごみ捕集具Ａにぬめりや悪臭、カビが発生するのが極力抑えられ、排水口用ごみ捕集具Ａを長期間に亘って衛生的に使用することができる。
【００２７】
その後、排水口用ごみ捕集具Ａが十分な量のごみを捕集した後は、この排水口用ごみ捕集具Ａをその摘み片部Ａ２、Ａ２を把持して粘着剤層４の粘着力に抗して上方に引っ張ることにより、排水口用ごみ捕集具Ａを目皿Ｂ上から取り外し、しかる後、この排水口用ごみ捕集具Ａをごみと共に廃棄する。
【００２８】
そして、別の新しい排水口用ごみ捕集具Ａを用意し、この排水口用ごみ捕集具Ａを目皿Ｂ上に上記と同様の要領で貼着、固定させて、排水口に流入する排水中からごみを継続的に捕集することができる。
【００２９】
【発明の効果】
本発明の排水口用ごみ捕集具は、請求項１に記載の通り、銅箔の上面に不織布が積層一体化されていると共に上記銅箔の下面に粘着剤層が積層一体化されてなる捕集具主体に、上下方向に貫通する多数の通水孔が設けられていることを特徴とするので、毛髪等のごみを特に良好に捕集することができると共に、不織布にしみ込んだ排水中に雑菌が繁殖するのを銅箔から溶けだした銅イオンによって緩和させて排水口用ごみ捕集具に悪臭やぬめりが生じたりカビが生えるのを緩和しており、排水口用ごみ捕集具を衛生的に継続使用することができる。
【００３０】
即ち、上記排水口用ごみ捕集具は、毛髪等の細かいごみの捕集性能を向上させる為に不織布を採用していると共に、銅箔から溶け出た銅イオンによって不織布中にしみ込んだ排水中における雑菌の繁殖を緩和させており、ごみ捕集性能と衛生性とを両立している。
【００３１】
加えて、排水口に流れ込んだ排水の一部は、通水孔の内面に露出した銅箔と接触した後に排水口内へと排出されることから、排水口内に排出された排水中には銅イオンが含まれた状態となっており、この銅イオンの作用によって排水口内の排水中における雑菌の繁殖を効果的に緩和することができ、排水口内に悪臭やぬめりが生じたりカビが発生するのを効果的に緩和することができる。
【００３２】
又、請求項２に記載した排水口用ごみ捕集具は、請求項１に記載の排水口用ごみ捕集具において、銅箔と不織布とを部分的に一体化させていることを特徴とするので、排水口用ごみ捕集具の通水孔内を流通する排水の一部が銅箔と不織布との間に流れ込んで銅箔とより多く接触することにより、銅箔から銅イオンを排水中に更に多く効果的に溶け出させることができ、よって、排水中に含まれる銅イオン量を増加させて排水口内に排出された排水中の雑菌の繁殖をより緩和して排水口内から悪臭等が発生するのをより効果的に緩和することができる。
【００３３】
更に、請求項３に記載した排水口用ごみ捕集具は、請求項１又は請求項２に記載の排水口用ごみ捕集具において、銅箔の下面に粘着剤層を部分的に積層一体化していることを特徴とするので、排水口用ごみ捕集具の通水孔内を流通する排水の一部が銅箔と目皿との間に流れ込んで銅箔とより多く接触することにより、銅箔から銅イオンを排水中により多く効果的に溶け出させることができ、よって、排水中に含まれる銅イオン量を増加させて排水口内に排出された排水中の雑菌の繁殖をより緩和して排水口内から悪臭等が発生するのをより効果的に緩和することができる。
【００３４】
加えて、請求項４に記載のごみ捕集具は、請求項３に記載の排水口用ごみ捕集具において、通水孔の下端開口周縁部の少なくとも一部に銅箔を露出させていることを特徴とするので、排水口用ごみ捕集具の通水孔内を流通する排水の一部が、通水孔の下端開口周縁部に露出した銅箔とより多く接触することにより、銅箔から銅イオンを排水中に更に多く効果的に溶け出させることができ、よって、排水中に含まれる銅イオン量を増加させて排水口内に排出された排水中の雑菌の繁殖をより緩和して排水口内から悪臭等が発生するのをより効果的に緩和することができる。
【図面の簡単な説明】
【図１】本発明の排水口用ごみ捕集具を示した斜視図である。
【図２】図１の排水口用ごみ捕集具を示した縦断面図である。
【図３】図１の排水口用ごみ捕集具を示した平面図である。
【図４】図１の排水口用ごみ捕集具を示した平面図である。
【図５】図１の排水口用ごみ捕集具を示した底面図である。
【図６】図１の排水口用ごみ捕集具を示した底面図である。
【図７】図１の排水口用ごみ捕集具の使用要領を示した縦断面図である。
【図８】図１の排水口用ごみ捕集具の通水孔部分を示した拡大縦断面図である。
【符号の説明】
１　銅箔
２　不織布
３　粘着剤層
４　合成樹脂フィルム層
５　通水孔
Ａ　排水口用ごみ捕集具
Ａ１　捕集具主体
Ｂ　目皿
【図１】
2004092266.tif 000003
【図２】
2004092266.tif 000004
【図３】
2004092266.tif 000005
【図４】
2004092266.tif 000006
【図５】
2004092266.tif 000007
【図６】
2004092266.tif 000008
【図７】
2004092266.tif 000009
【図８】
2004092266.tif 000010